【手続補正書】
【提出日】平成22年10月7日(2010.10.7)
【手続補正１】
【補正対象書類名】特許請求の範囲
【補正対象項目名】全文
【補正方法】変更
【補正の内容】
【特許請求の範囲】
【請求項１】
少なくとも１つの開口部領域(40)を有する蓋(30)によって閉じられた充填済み容器(20)からピペット操作可能な物質を取り出すシステム(10)であって、
−下記(i)、(ii)を含む開口ツール(110)、
(i)開口部領域の形状に実質的に相当する断面を有する管(110)であって、遠位端(120)にて該管の長手軸に対して実質的に傾いて延びる末梢部(140)を有し、蓋に開口部が形成されるように、上記開口ツールが適用されるとき、開口部領域(40)内に位置する蓋(30)の一部を容器の方に動かす管(110)、
(ii)輸送ツール(200)のための攻撃点(150)、前記開口ツール(100)は、使用後に容器(20)に残るように作られている、
−蓋(30)を介して開口ツール(100)を動かすための輸送ツール(200)、
−開口ツール(100)を使用している状態で、管(110)を介してその全長の少なくとも一部が容器(20)内に挿入されるように適合され、その一方の端をピペット操作可能な物質を容器(20)の中から外に吸引するための吸引装置(300)に接続することができるピペット操作ツール(250)
を含む、前記システム。
【請求項２】
開口部領域(40)が、実質的に、円形、楕円形及び多角形を含む群から選択される形状である、請求項１に記載のシステム。
【請求項３】
開口部領域(40)が、以下の群から選択される１以上の特徴によって特徴付けられる、請求項１又は２に記載のシステム。
a)開口部領域(40)は、実質的に蓋(30)よりも小さい材料厚さを有する、
b)開口部領域(40)は、蓋(30)とは異なる材料からなる、
c)開口部領域(40)は、実質的に蓋(30)よりも小さい材料厚さを有する境界領域(50)によって境界がつけられ、境界領域(50)は異なった材料厚さの領域を有する、
d)開口部領域(40)は、蓋(30)よりも大きい材料厚さの境界領域(50)によって境界がつけられる。
【請求項４】
開口ツール(100)及び／又は容器(20)は、ピン、穴、細長い隙間、溝及び隆起部を含む群から選択される、輸送ツール(200)上で正確な位置合わせを行うための少なくとも1つの位置合わせ要素を含む、請求項１〜３のうちの１項に記載のシステム。
【請求項５】
管(110)の傾いた末梢部(140)は、その遠位端(170)に点(135)を有し、かつその背部端(160)からその遠位端(170)までの領域にわたって管の長手軸に対して少なくとも２つの異なった角度αを有する、請求項１〜４のうちの１項に記載のシステム。
【請求項６】
管(110)の末梢部(140)の、末梢部の遠位端(170)の領域における管の長手軸に対する傾斜の角度αは、末梢部のほかの領域のものより実質的に小さい、請求項１〜５のうちの１項に記載のシステム。
【請求項７】
管(110)の背部端(125)は、円錐の形状の構築によって、その適用された位置にて蓋(30)における管と開口ツール(100)との摩擦によって固定されるかみ合いを確保する、請求項１〜６のうちの１項に記載のシステム。
【請求項８】
複数の管(110)がｍ×ｎのマトリクスに配置され、共通の要素(180)によって接続される、請求項１〜７のうちの１項に記載のシステム。
【請求項９】
管(110)の傾いた末端部(140)の主面に対する垂線によって規定される空間方向は、管の少なくとも２つにおいて異なる、請求項８に記載のシステム。
【請求項１０】
ピペット操作可能な物質を提供するための容器(20)であって、
−それぞれ少なくとも１つの開口部(80)を有する複数の同様の又は異なった形状のチャンバー(70)、
−該開口部(80)を閉じるための少なくとも１つの蓋(30)、
−少なくとも１つの該蓋(30)にて形成された円錐状のガイド(35)
を含む、前記容器。
【請求項１１】
ピン、穴、細長い隙間、溝及び隆起部を含む群から選択される位置合わせ要素を更に含む、請求項１０に記載の容器。
【請求項１２】
少なくとも１つの蓋（30）に、少なくとも１つの開口部領域(40)が設けられる、請求項１０または１１に記載の容器。
【請求項１３】
開口部領域(40)が、円形、楕円形及び多角形を含む群から選択される形状を本質的に有する、請求項１０〜１２のうちの１項に記載の容器。
【請求項１４】
開口部領域(40)が、以下の群から選択される１以上の特徴によって特徴付けられる、請求項１０〜１３のうちの１項に記載の容器。
a)開口部領域(40)は、実質的に蓋(30)よりも小さい材料厚さを有する、
b)開口部領域(40)は、蓋(30)とは異なる材料からなる、
c)開口部領域(40)は、実質的に蓋(30)よりも小さい材料厚さを有する境界領域(50)によって境界がつけられ、境界領域(50)は異なった材料厚さの領域を有する、
d)開口部領域(40)は、蓋(30)よりも大きい材料厚さの境界領域(50)によって境界がつけられる。
【請求項１５】
容器(20)が、予め定められた処理のために、生物学的な標的分子を含有する材料を処理、精製及び／又は分析するために必要とされるすべての物質によって実質的に満たされている、請求項１０〜１４のうちの１項に記載の容器。
【請求項１６】
少なくとも１つの開口部領域(40)を有する蓋(30)によって閉じられた充填済み容器(20)のための開口ツール(100)であって、
開口部領域(40)の形状に実質的に相当する断面を有する管(110)であって、遠位端(120)にて該管の長手軸に対して実質的に傾いて延びる末端部(140)を有する管を含み、上記蓋に開口部が形成されるように前記開口ツールが適用されるとき、開口部領域内に位置する蓋(30)の一部を容器の方に動かす開口ツールであって、前記傾いた末梢部(140)は、その遠位端(170)に点(135)を有し、かつその背部端(160)からその遠位端(170)までの領域にわたって管の長手軸に対して少なくとも２つの異なった角度αを有する、前記開口ツール。
【請求項１７】
管(110)の末梢部(140)の、該末梢部の遠位端(170)の領域における上記管の長手軸に対する傾斜の角度αは、末端部のほかの領域のものより実質的に小さい、請求項１６に記載の開口ツール。
【請求項１８】
管(110)は、該管を少なくとも部分的に取り囲む段部(175)又は溝の形状の、容器に開口ツールを固定するための保持要素を含む、請求項１６または１７に記載の開口ツール。
【請求項１９】
管(110)の一方の端は、それを円錐形状に構成することにより、その適用された位置にて蓋(30)における管の開口ツール(100)との摩擦によって固定されるかみ合いを確保する、請求項１６〜１８のうちの１項に記載の開口ツール。
【請求項２０】
複数の管(110)がｍｘｎのマトリクスに配置され、要素(180)によって接続される、請求項１６〜１９のうちの１項に記載の開口ツール。
【請求項２１】
管(110)の傾いた末端部(140)の主面に対する垂線によって規定される空間方向は、管の少なくとも２つで異なる、請求項２０に記載の開口ツール。
【請求項２２】
以下の工程を含む、充填済みの容器からピペット操作可能な物質を取り出す方法。
ａ）請求項１〜９のうちの１項に記載のシステム(10)と請求項１０〜１５のうちの１項に記載の容器(20)を提供することと、
ｂ）開口ツール(100)の容器の蓋(30)への自動又は手動の適用と、
ｃ）開口ツールの管(110)が容器(20)の蓋における開口部領域(40)を少なくとも部分的に開け、管が容器の中にその全長の少なくとも一部にわたって貫通し、そこに固定されるように、輸送ツール(200)によって容器の蓋を介して開口ツールを動かすことと、
ｄ）開口ツール(100)の貫通開口部(190)の上の位置にピペット操作ツール(250)を配置し、貫通開口部の中及び下の管(110)の中へ、管の遠位端(120)から取り出される物質の中へピペット操作ツールの少なくとも一部が突き出るまで、ピペット操作ツールを下げることと、
ｅ）それに接続された吸引装置(300)によってピペット操作ツール(250)を介して、容器に含有されたピペット操作可能な物質を吸引すること。
【請求項２３】
開口ツール(100)からピペット操作ツール(250)を完全に引き出す工程ｆ）を更に含む、請求項２２に記載の方法。
【請求項２４】
同一の又は異なったピペット操作ツール(250)を用いて、工程ｄ）〜ｆ）を数回繰り返す、請求項２３に記載の方法。
【請求項２５】
工程ｃ）の動きには、容器(20)及び／又は開口ツール(100)と輸送ツール(200)との間の、ピン−穴、ピン−細長い隙間及び溝−隆起部を含む群の中から選択される位置合わせ要素のかみ合いが伴われる、請求項２２〜２４のうちの１項に記載の方法。
【請求項２６】
工程ｄ）〜ｆ）は、同時に複数のピペット操作ツール(250)を用いて実施される、請求項２２〜２５のうちの１項に記載の方法。
【請求項２７】
容器が、複数の構造的に別個のチャンバー(70)を有し、そのそれぞれが蓋(30)に少なくとも１つの開口部領域(40)が割り当てられ、及び／又は、工程ｃ）において、開口ツール(100)が動くにつれて、複数の管(110)が少なくとも部分的に複数の開口部領域を開口する、請求項２２〜２６のうちの１項に記載の方法。
【請求項２８】
適用された開口ツール(100)を伴う容器(20)が、開口ツール上に配置されたカバー(350)によって閉じられる工程ｇ）を更に含む、請求項２２〜２７のうちの１項に記載の方法。
【請求項２９】
工程ｂ）において、円錐状の形状のガイド(35)によって開口ツールが蓋(30)の上で中心に置かれる、請求項２２〜２８のうちの１項に記載の方法。